(57)【要約】【課題】  カードの排出時にスライド部材の後退時の勢いを軽減することによりカードの飛び出しを防止できるカード用コネクタ装置を提供する。【解決手段】  カード１０が挿着される収納部１ａを有するハウジング１と、収納部１ａの一端側に並設され、カード１０の外部接触部と接触可能なコネクタ端子２と、カード１０の挿入及び排出に伴ってカード１０の挿入及び排出方向に移動可能なスライド部材８と、スライド部材８を排出方向へ付勢する付勢部材３と、スライド部材８を付勢部材３の付勢力に抗してカード挿着位置に保持するハート型カム溝８ｃ及びロック部材７とを備え、ハウジング１とスライド部材８との間に、スライド部材８が付勢部材３によってカード排出位置に移動する際に、スライド部材８を排出方向とは反対方向へ弾発する弾性部材５を設けた。【選択図】        図１
2005203231.tif 000002
【特許請求の範囲】
【請求項１】
カードが挿着される収納部を有するハウジングと、この収納部の一端側に並設され、前記カードの外部接触部と接触可能なコネクタ端子と、前記カードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート型カム溝及びロック部材とを備え、前記ハウジングと前記スライド部材との間に、前記スライド部材が前記付勢部材によってカード排出位置に移動する際に、前記スライド部材を排出方向とは反対方向へ弾発する弾性部材を設けたことを特徴とするカード用コネクタ装置。
【請求項２】
前記弾性部材を、前記ハウジングのカード挿入口側に一体的に設けたことを特徴とする請求項１記載のカード用コネクタ装置。
【請求項３】
前記弾性部材を、前記スライド部材のカード挿入口側に一体的に設けたことを特徴とする請求項１記載のカード用コネクタ装置。
【請求項４】
前記弾性部材を、ばね性を有する金属板ばねで形成したことを特徴とする請求項１乃至３の何れかに記載のカード用コネクタ装置。
【請求項５】
前記弾性部材を、前記ロック部材を前記ハート型カム溝へ付勢する金属板ばねと一体に形成したことを特徴とする請求項４記載のカード用コネクタ装置。
【発明の詳細な説明】
【技術分野】
【０００１】
本発明は、携帯電話、ＰＣなど各種携帯情報端末、デジタルカメラ、デジタルＡＶ機器などのメモリー対応機器、及び家庭用ゲーム機器に用いられる小型メモリーカードやカード型カートリッジなどに使用される、カード用コネクタ装置の構造に関する。
【背景技術】
【０００２】
ＩＣやメモリなどを組み込んだカードとしてはＩＣカード（カード型カートリッジ含む）やメモリーカードなどが広く使用さるようになってきている。このＩＣカードやメモリカードなどと機器側の回路基板とを電気的に接続するためにカード用コネクタ装置が用いられている。
【０００３】
従来のカード用コネクタ装置としては、カードが挿脱可能な、ハウジング本体と、ハウジング本体に並設され、カードの接触部と接触可能なコネクタ端子と、カードの挿入及び排出に伴って移動可能なスライダーと、スライダー及びカードを排出方向へ付勢する圧縮ばね及び引張りばねと、スライダーをカード挿着位置にロックするロック部材と、ハウジング本体の開口部を覆うハウジングカバーとからなり、２種類のばねのうち、一方はカードとコネクタ端子の接続を解除する際の弾性力を付与し、他方はカードの接続解除後に排出位置まで付勢する弾性力を付与するカード用コネクタ装置が知られている（例えば、特許文献１参照）。
【０００４】
以下、従来のカード用コネクタ装置の構造を図に基づいて説明する。
図１１及び図１２は従来のカード用コネクタ装置の構造を示し、図１１はカード用コネクタ装置の分解斜視図、図１２はカード用コネクタ装置の平面図である。
【０００５】
カード用コネクタ装置には、カード２１が挿脱可能なハウジング２２が設けられ、該ハウジング２２は、ハウジング本体２３とこの上方を覆うハウジングカバー２４とで構成されている。前記ハウジング本体２３は、薄板状の底板２５と、前端部に形成された前壁２６と、側部に形成された側壁２７とを備え、底板２５の前端側には１０本の端子２８が並列に配列されている。
【０００６】
前記前壁２６内側にはアーム受け溝３４が形成され、さらに、該アーム受け溝３４内には小径の丸溝３５（図１２参照）が形成されている。該丸溝３５にはアーム３６の前端部３７が枢支されている。また、前記前壁２６には、ばね受け凹部３９が形成されている。さらに、底板２５の後方には、コーナ壁４０が形成され、該コーナ壁４０にはばね収容溝４１が形成されている。
【０００７】
前記ハウジングカバー２４は両側が下方に折曲し、前記ハウジング本体２３に被嵌されるようになっている。また、前記ハウジングカバー２４の縁部には、アーム押え４３が折曲形成され、該アーム押え４３は前記アーム３６を下方に押え付けている。
【０００８】
前記底板２５の端部２９にはスライダー４４が設けられ、該スライダー４４は、角棒状のガイド部４５と、該ガイド部４５の前端部から内側に突設されカード２１の前端が当接可能な当接部４６とを備えている。また、前記ガイド部４５の上面側には、係合凹部４８を有するハートカム４７が形成され、前記アーム３６の後端部３８が前記ハートカム４７に沿って揺動可能となっている。
【０００９】
また、前記ガイド部４５の後端部には、ばね収容溝４９が形成されている。そして、前記引張コイルばね５１は、その前端部、後端部がそれぞれ、前記各ばね収容溝４９，４１内に収容支持されるようになっている。また、前記当接部４６には切欠部５６が形成され、該切欠部５６に圧縮コイルばね５８の後端部が係合している。
【００１０】
前記カード２１の挿入時には、カード２１の挿入に伴って前記スライダー４４が前記引張りばね５１の弾性力に抗して前進し、さらに前記圧縮ばね５８がばね受け凹部３９に当接して圧縮される。そして、前記アーム部３６の後端部３８がハートカム４７の係合凹部４８に係合してスライダー４４とカード２１が挿着位置にロックされてカード２１と端子２８とが接触する。
【００１１】
この状態から、カード２１を排出させるには、挿着位置でカード２１をさらに押し込むことによりアーム部３６の後端部３８が係合凹部４８から外れて圧縮ばね５８の弾性力によりスライダー４４とカード２１が後退してカード２１と端子２８とが離間した後、引張りコイルばね５１の弾性力によりスライダー４４とカード２１が排出位置まで後退するものとなる。
【００１２】
【特許文献１】特開２００２−３６７７２０号公報
【発明の開示】
【発明が解決しようとする課題】
【００１３】
しかしながら、従来のカード用コネクタ装置の構成においては、２種類のコイルばねがスライダーとカードをカードの排出方向へ付勢している構成のため、カードの排出時に、不慮の要因によってカードが勢いの余り排出位置を超えて落下してしまうという問題があった。また、コネクタ装置に衝撃が加わった場合にロックが外れてカードが飛び出す虞があった。
【００１４】
したがって、本発明では上述した問題点を解決し、カードの排出時にスライド部材の後退時の勢いを軽減することによりカードの飛び出しを防止できるカード用コネクタ装置を提供することを目的とする。
【課題を解決するための手段】
【００１５】
上記課題を解決するために本発明では第１の解決手段として、カードが挿着される収納部を有するハウジングと、この収納部の一端側に並設され、前記カードの外部接触部と接触可能なコネクタ端子と、前記カードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート型カム溝及びロック部材とを備え、前記ハウジングと前記スライド部材との間に、前記スライド部材が前記付勢部材によってカード排出位置に移動する際に、前記スライド部材を排出方向とは反対方向へ弾発する弾性部材を設けた構成とした。
【００１６】
また、第２の解決手段として、前記弾性部材を、前記ハウジングのカード挿入口側に一体的に設けた構成とした。
また、第３の解決手段として、前記弾性部材を、前記スライド部材のカード挿入口側に一体的に設けた構成とした。
【００１７】
また、第４の解決手段として、前記弾性部材を、ばね性を有する金属板ばねで形成した構成とした。
また、第５の解決手段として、前記弾性部材を、前記ロック部材を前記ハート型カム溝へ付勢する金属板ばねと一体に形成した構成とした。
【発明の効果】
【００１８】
上述したように、本発明のカード用コネクタ装置は、カードが挿着される収納部を有するハウジングと、収納部の一端側に並設され、カードの外部接触部と接触可能なコネクタ端子と、カードの挿入及び排出に伴ってカードの挿入及び排出方向に移動可能なスライド部材と、スライド部材を排出方向へ付勢する付勢部材と、スライド部材を付勢部材の付勢力に抗してカード挿着位置に保持するハート型カム溝及びロック部材とを備え、ハウジングとスライド部材との間に、スライド部材が付勢部材によってカード排出位置に移動する際に、スライド部材を排出方向とは反対方向へ弾発する弾性部材を設けたことから、カードの排出時にスライド部材が付勢部材の付勢力によって排出される際に、弾性部材の弾性力によりスライド部材の排出方向へ復帰する勢いを軽減できるので、カードの排出時のカードの飛び出しを防止することができる。
【００１９】
また、弾性部材を、ハウジングのカード挿入口側に一体的に設けたことから、ハウジングに弾性部材を設けるだけの簡易な構成で、カードの排出時にスライド部材とハウジングとを弾接させることができる。
また、弾性部材を、スライド部材のカード挿入口側に一体的に設けたことから、スライド部材に弾性部材を設けるだけの簡単な構成で、カードの排出時にスライド部材とハウジングとを弾接させることができる。
【００２０】
また、弾性部材を、ばね性を有する金属板ばねで形成したことから、簡単な構成で確実な弾性力が得られると共に、小型化が可能となる。
また、弾性部材を、ロック部材をハート型カム溝へ付勢する金属板ばねと一体に形成したことから、部品点数の削減が図れ、組立性が向上できる。
【発明を実施するための最良の形態】
【００２１】
以下、本発明の実施形態を図１乃至図１０に示す。図１はカード用コネクタ装置の平面図、図２は板ばね及び弾性部材の斜視図、図３はカード排出位置のカード用コネクタ装置の平面図、図４は同じく排出機構部分の部分詳細図、図５はカード挿着位置のカード用コネクタ装置の平面図、図６は同じく排出機構部分の部分詳細図、図７は図３の７−７線における断面図、図８は図７の要部拡大断面図、図９は図５の９−９線における断面図、図１０は図９の要部拡大断面図である。
【００２２】
図１及び図２において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。また、前記収納部１ａには、弾性を有する導電性の金属材からなるコネクタ端子２が複数個並設されている。
【００２３】
前記コネクタ端子２は、前記収納部１ａのカード挿入方向の奥側に配設されており、平板状の基部と、この基部から互いに対向する方向へ屈曲されて形成された接続片２ａ及び接触片２ｂとから形成されている。前記コネクタ端子２は、一端側に形成された前記接続片２ａが、前記ハウジング１の後方外側面から外方へ表出して配設されており、この接続片２ａが電子機器などの外部の回路基板上の回路パターンと半田付けされて固着されることで信号の伝送が行われるものとなる。
【００２４】
また、前記コネクタ端子２の基部の他端側に延出されて形成された前記接触片２ｂが、前記収納部１ａ内に突出して配設されたものとなっている。また、前記接触片２ｂの先端側には、後述するカード１０の外部接触部に接続される接点部２ｃが形成されている。
【００２５】
また、前記ハウジング１の一側部には、後述するスライド部材８をカード排出方向へ付勢するコイルばねからなる付勢部材３を収容するばね収容部１ｃが形成されている。また、このばね収容部１ｃと対向する一端側には、板ばね４及びこの板ばね４と一体に形成された弾性部材５を保持する保持部１ｄが形成されている。また、この保持部１ｄの近傍には、後述するスライド部材８の一端側に形成されたハート型カム溝８ｃに摺接される金属の線材からなるロック部材７の一端が回動可能に軸支される軸孔（図示せず）が形成されており、このロック部材７の他端が前記板ばね４によってハート型カム溝８ｃに付勢されている。
【００２６】
板ばね４及び弾性部材５は、ばね性を有する薄板金属板で基板部６が一体に形成されており、このうち板ばね４は基板部６から直角に折り曲げられて前記ロック部材７を付勢する平板アーム部４ａが延出して形成されている。一方、弾性部材５は基板部６から直角に折り曲げられた後、その先端が略Ｕ字状に折り曲げられてばね性を有するばね部５ａが形成されている。この板ばね４及び弾性部材５は、平板アーム部４ａ及びばね部５ａが前記ハウジング１の収納部１ａ内に突出された状態で、前記基板部６が前記保持部１ｄに係合されてハウジング１に保持されている。
【００２７】
このように、前記弾性部材５を、ばね性を有する薄板金属板からなる金属板ばねで形成したことから、簡単な構成で確実な弾性力が得られ、板ばねで形成できるのでコイルばねなどに比べて収納スペースが小さくて良く、ハウジング１の小型化が可能となっている。また、前記弾性部材５を、ロック部材７をハート型カム溝８ｃへ付勢する薄板金属板からなる前記板ばね４と一体に形成したことから、部品点数の削減が図れ、組立性が向上できるものとなっている。
【００２８】
スライド部材８は、合成樹脂などの絶縁材から略逆Ｌ字状に形成されている。このスライド部材８には、カード挿入方向の前端側に、カード挿入方向と直交する方向に突出した、後述するカード１０が当接されるカード当接部８ａが形成されており、また、このスライド部材８の中央には、前記ハウジング１のばね収容部１ｃに収容された、前記付勢部材３の一端部が係止されるばね係止部８ｂが設けられている。
【００２９】
また、前記スライド部材８の後端側には、前記ハウジング１の一端側に一端が回動可能に軸支された、前記ロック部材７の他端が摺接されるハート型カム溝８ｃが形成されている。そして、前記ロック部材７と前記ハート型カム溝８ｃとの協働によって、前記スライド部材８は、前記付勢部材３の付勢力に抗してカード挿着位置に保持されるものとなっている。
【００３０】
また、前記スライド部材８の後端部には、平坦状の受け部８ｄが設けられている。前記スライド部材８が、カード排出位置に前記付勢部材３によって付勢された際、この受け部８ｄが前記ハウジング１の保持部１ｄに保持された前記弾性部材５のばね部５ａと当接するものとなっている。
このように、前記弾性部材５を、前記ハウジング１のカード挿入口側に一体的に設けたことから、前記ハウジング１に前記弾性部材５を設けるだけの簡易な構成で、カード１０の排出時に前記スライド部材８と前記ハウジング１とを弾接させることができるものとなる。
【００３１】
また、前記スライド部材８の後端部には、突部８ｅが設けられている（図５、図６参照）。前記スライド部材８が、カード排出位置に前記付勢部材３によって付勢された際、前記受け部８ｄと前記ばね部５ａとが当接した後、この突部８ｅが前記ハウジング１に当接されるものとなっている。
このように、前記突部８ｅとハウジング１とが当接する前に前記受け部８ｄと前記ばね部５ａが当接するため、前記スライド部材８が前記付勢部材３の付勢力によって付勢された勢いのまま前記ハウジング１に当接することがないので、前記ハウジング１と前記スライド部材８とが当接する際の衝撃が緩和されるものとなっている。また、前記ばね部５ａのカード挿入方向への付勢力よりも前記付勢部材３のカード排出方向への付勢力の方が強い付勢力を発生するようにしているため、前記突部８ｅが前記ハウジング１と当接して、前記スライド部材８がカード排出位置に位置決め保持されるものとなっている。
【００３２】
また、前記スライド部材８の一側面部には、前記カード当接部８ａに当接して収容される、後述するカード１０の側面部に設けられた位置決め用の凹部１０ｂに係合する、ばね性を有する金属板等からなる係合片９が固着されている。そして、カード１０が挿着された際には、この係合片９のばね性により、カード１０が確実にカード挿着位置に位置決めされるものとなっている。
【００３３】
尚、図示はしないが、前記ハウジング１の上面側には、金属板からなるカバー部材が、前記ハウジング１の上面側の開口部を覆うように取り付けられている。また、このカバー部材は前記ハウジング１の収納部１ａに配設された前記コネクタ端子２の上面を覆うように形成されており、外部からの輻射ノイズ等の侵入を防止するシールド板の役目も果たすものとなっている。
【００３４】
図３に示すように、カード１０は、内部に集積回路（ＩＣ）が収納されており、各種情報端末やゲーム機などの電子機器の記録媒体などとして広く使用されているものである。このカード１０の一表面には、その一端側に複数の外部接触部（図示せず）が形成されており、この外部接触部が前記ハウジング１の収納部１ａに配設された前記コネクタ端子２の接触片２ｂと接触することにより、外部に接続された電子機器との種々の情報処理が行われるものとなっている。
【００３５】
また、前記カード１０の先端部には傾斜面からなる切り欠き部１０ａが形成されており、この切り欠き部１０ａを含む前記カード１０の先端部が前記スライド部材８のカード当接部８ａとの当接部となっている。また、この切り欠き部１０ａが形成された側の前記カード１０の一側面部には、位置決め用の凹部１０ｂが形成されている。そして、前記カード１０を、前記スライド部材８のカード当接部８ａに当接して挿入する際、前記凹部１０ｂに、前記スライド部材８の収容部の一側面部に設けられたばね性を有する前記係合片９が係合することにより、前記カード１０を前記スライド部材８の収容部に保持させるものとなっている。
【００３６】
前記カード１０が前記スライド部材８の収容部に挿入された時、前記カード１０の先端部が前記スライド部材８のカード当接部８ａに当接することによって、前記スライド部材８が前記カード１０の挿入に伴って、カード挿入方向へ移動可能となるように形成されている。
【００３７】
次に、図３乃至図６を用いて前記カード１０をコネクタ装置に挿入する場合の動作を説明する。
まず、図１に示す初期の状態、すなわち前記カード１０の未挿入時には、前記スライド部材８は前記付勢部材３の付勢力によりカード排出方向へ付勢されている。この時、前記スライド部材８は、受け部８ｄが前記ハウジング１の保持部１ｄに保持された前記弾性部材５のばね部５ａと当接して、かつ、突部８ｅが前記ハウジング１と当接してその位置に保持されている。
【００３８】
次に、図３に示すように、前記カード１０が、前記スライド部材８の収容部に挿入されると、前記カード１０は、前記係合片９により位置決め用の前記凹部１０ｂが係合されると共に、先端部が前記カード当接部８ａに当接されて保持されるものとなる。この時、前記カード１０の外部接触部（図示せず）は前記コネクタ端子２の接触片２ｂの接点部２ｃとは離間している。
【００３９】
次に、図５に示すように、前記カード１０をカード挿入方向へ押圧してやると、前記スライド部材８が前記カード１０の挿入に伴ってカード挿入方向へ移動可能となり、前記付勢部材３の付勢力に抗して前記スライド部材８がカード挿入方向へ移動して、前記ロック部材７の一端部が前記ハート型カム溝８ｃをトレースしてロック位置にロックされる。この時、前記カード１０の外部接触部は前記コネクタ端子２の接触片２ｂの接点部２ｃと接触するものとなり、カード１０がカード挿着位置に保持されるものとなる。
【００４０】
この状態から、前記カード１０を排出する場合には、図５の状態から、さらに前記カード１０をカード挿入方向へ押圧してやると、再び前記ロック部材７の一端部が前記ハート型カム溝８ｃをトレースしてロック位置から外れて、前記スライド部材８が前記付勢部材３の付勢力によってカード排出方向へ付勢されるのに伴って、カード１０もカード排出方向へ押戻されるものとなる。そして、図３に示すカード排出位置まで排出されて前記カード１０の外部接触部と前記コネクタ端子２の接触片２ｂの接点部２ｃとの接触が解除される。
【００４１】
この時、図４に示すように、前記スライド部材８の後端部に形成された前記受け部８ｄが、前記ハウジング１の保持部１ｄに保持された前記弾性部材５のばね部５ａと当接することとなる。そして、この際に、前記ばね部５ａの有する弾発力によって前記スライド部材８の復帰時の衝撃が緩和されることから、前記カード１０の排出の際のカード１０に伝わる衝撃を抑えることができるので、カード１０の飛び出しを防止することができるものとなっている。
【００４２】
尚、上記実施例では、前記弾性部材５を前記ハウジング１に形成した前記保持部１ｄに設けるようにしたが、これに代えて、前記弾性部材５を、前記スライド部材８のカード挿入口側の後端部に一体的に設けるようにしても良い。
この場合でも、前記スライド部材８に前記弾性部材５を設けるだけの簡単な構成で、前記カード１０の排出時に前記スライド部材８と前記ハウジング１とを弾接させることができるものとなる。
【００４３】
上記した本発明の構成によれば、前記カード１０が挿着される前記ハウジング１と、前記カード１０の挿入及び排出に伴ってカード挿入及び排出方向に移動可能な前記スライド部材８との間に、前記スライド部材８が前記付勢部材３によってカード排出位置に移動する際に、前記スライド部材８をカード排出方向とは反対方向へ弾発するばね部５ａを有する前記弾性部材５を設けるようにしたことから、前記カード１０の排出時に、前記スライド部材８が前記付勢部材３の付勢力によって押戻される際には、前記弾性部材３の弾性力により前記スライド部材８のカード排出方向へ復帰する勢いを軽減できるので、前記カード１０を排出する時のカード１０の飛び出しを防止することができるものとなっている。
【図面の簡単な説明】
【００４４】
【図１】本発明の一実施例であるカード用コネクタ装置を示す平面図である。
【図２】本発明の板ばね及び弾性部材を示す斜視図である。
【図３】本発明のカード排出位置のカード用コネクタ装置を示す平面図である。
【図４】本発明のカード用コネクタ装置の排出機構部分を示す部分詳細図である。
【図５】本発明のカード挿着位置のカード用コネクタ装置を示す平面図である。
【図６】本発明のカード用コネクタ装置の排出機構部分を示す部分詳細図である。
【図７】本発明の図３の７−７線における断面図である。
【図８】本発明の図７の要部拡大断面図である。
【図９】本発明の図５の９−９線における断面図である。
【図１０】本発明の図９の要部拡大断面図である。
【図１１】従来のカード用コネクタ装置を示す分解斜視図である。
【図１２】従来のカード用コネクタ装置を示す平面図である。
【符号の説明】
【００４５】
１：ハウジング
１ａ：収納部
１ｂ：カード挿入部
１ｃ：ばね収容部
１ｄ：保持部
２：コネクタ端子
２ａ：接続片
２ｂ：接触片
２ｃ：接点部
３：付勢部材
４：板ばね
４ａ：平板アーム部
５：弾性部材
５ａ：ばね部
６：基板部
７：ロック部材
８：スライド部材
８ａ：カード当接部
８ｂ：ばね係止部
８ｃ：ハート型カム溝
８ｄ：受け部
８ｅ：突部
９：係合片
１０：カード
１０ａ：切り欠き部
１０ｂ：凹部
【図１】
2005203231.tif 000003
【図２】
2005203231.tif 000004
【図３】
2005203231.tif 000005
【図４】
2005203231.tif 000006
【図５】
2005203231.tif 000007
【図６】
2005203231.tif 000008
【図７】
2005203231.tif 000009
【図８】
2005203231.tif 000010
【図９】
2005203231.tif 000011
【図１０】
2005203231.tif 000012
【図１１】
2005203231.tif 000013
【図１２】
2005203231.tif 000014